【手続補正書】
【提出日】平成16年10月29日(2004.10.29)
【手続補正１】
【補正対象書類名】明細書
【補正対象項目名】特許請求の範囲
【補正方法】変更
【補正の内容】
【特許請求の範囲】
【請求項１】
寝床面を移動自在の支持フレームの中央溝部には、スライドトレーが摺動自在に載置され、またそのスライドトレーには使用者の股間に装着されて排泄物を受けるトイレ容器が開閉可能に支承され、またその支持フレームの左右の端部には、使用者に股間へのトイレ容器の装着を支援させるための、左右の大腿部を保持させる大腿部スタビライザと腰部を浮揚させる身体確保ユニットがそれぞれ対設され、また前記トイレ容器は、股間に上方から当接する固形のフロントガード部と下方から当接する固形の器底部との二部体を具設し、その器底部はフロントガード部に開閉自在に枢着され、また前記二部体の間は折り目状のひだ部で一体に繋がれて、前記二部体の間が開閉可能で、前方を楕円状に開口した、漏水の恐れのない受け容器状に形成され、またその楕円状の開口部には環状のシール材が貼設されて、股間に気密に当接できると共に、そのフロントガード部を閉動させることにより器底部との間で股間を挟み付けて、トイレ容器を股間に装着できるごとく形成され、またトイレ容器の器底部には排出用、送水用及び送風用の各連通穴が開口され、それら各連通穴と別個に移動自在のユニット台車に集積された吸引回収、器官洗浄及び器官乾燥の各ユニットとの間は、多重管に一つに束ねて内包された前記各ユニットの専用配管を介してそれぞれ接続され、使用時は容器内の排泄物が吸引回収されると共に器官と容器が洗浄され、乾燥されて、再使用可能状態に復元できるごとく形成されたことを特徴とする自力真空水洗トイレのトイレ容器。
【請求項２】
スライドトレーの支軸に支承されるフロントガード部の開閉機構には、エアレリース弁による解除機構を付設した一方向閉動機構が介設され、トイレ容器の装着のとき、そのフロントガード部の上部の取っ手を手前に引き付けて一方向閉動させ、器底部との間で股間を強制的に挟み付けて装着可能なごとく形成されたことを特徴とする請求項１に記載の自力真空水洗トイレのトイレ容器。
【請求項３】
床面上に移動自在に設置されたユニット台車の下部収納庫には、前記トイレ容器から排泄物を吸引回収して回収ボトルに搬送保管するための圧縮空気を利用したインジェクション方式の吸引回収ユニットと、前記容器に温水と泡洗浄液を送給して器官と容器を洗浄するための器官洗浄ユニットと、前記受け容器の洗浄終了後に温風を供給して器官と容器を乾燥するための器官乾燥ユニットとが集積され、また前記各ユニットとトイレ容器との間は、台車の上部穴から引き出された多重管に内包された各専用配管を介して接続され、またその台車の上部には、使用を完了したトイレ容器をその支持フレームごと装着保管可能なトイレ容器の装着保管装置が設置されたことを特徴とする自力真空水洗トイレのユニット台車。
【請求項４】
ユニット台車に排泄物の回収ボトルを着脱自在に設置すると共に、その回収ボトルに満杯センサを付設して廃棄処理時期を検知し、常に使用可能状態で保管することを特徴とする請求項３に記載のユニット台車の回収ボトル。
【請求項５】
寝床面に対する股間の関係と同様に、ユニット台車の載置面上には股間に相当した形状の当接ブロックが配設され、使用者がトイレ容器を載置面上に置き、その開口部を前記当接ブロックに当接させ、そのフロントガード部の一方向閉動で当接ブロックに強制的に装着すると共に、装着後にはトイレ容器に対し補足的な洗浄及び乾燥をも可能とするごとく形成されたことを特徴とする請求項２及び３に記載のユニット台車のトイレ容器の装着保管装置。
【請求項６】
本装置に利用される圧縮空気が、前記ユニット台車に収納された高圧空気ボンベ又はコンプレッサにより供給されるごとく形成されたことを特徴とする請求項１及び３に記載の自力真空水洗トイレ。
【請求項７】
その圧縮空気を利用したインジェクション方式の吸引回収ユニットが、多重管内の排泄物搬送管の先端部と、トイレ容器の排出用連通穴との管接続部に、二重管による管内全周面逆噴射構造のインジェクション用圧縮空気吹出し装置を内設して、管内全周面が真空吸引可能なごとく形成されたことを特徴とする請求項１及び３に記載の自力真空水洗トイレ。
【請求項８】
使用者が寝たまま自力で、先ず、移動自在のユニット台車に集積された吸引回収、器官洗浄及び乾燥の各ユニットと多重管を介して接続した、トイレ容器を股間に装着可能で、使用時はリモコンスイッチにより前記各ユニットを制御して、容器内の排泄物の真空吸引回収から器官と容器の温水、泡洗浄と温風乾燥まで順次に遠隔操作可能で、使用後は洗浄及び乾燥を完了したトイレ容器を股間から離脱して、ユニット台車に装着保管可能なごとく形成されたことを特徴とする自力真空水洗トイレ。
【手続補正２】
【補正対象書類名】明細書
【補正対象項目名】０００１
【補正方法】変更
【補正の内容】
【０００１】
【発明の属する技術分野】
本発明は、寝たままの患者が使用する便器の分野に属し、詳しくは使用者が寝たまま、自力で、トイレ容器を股間に装着可能で、使用時はリモコンスイッチによりトイレ容器内の排泄物の真空吸引回収から排泄器官（以下器官という）と容器の洗浄、乾燥まで順次に遠隔操作可能で、使用後は洗浄及び乾燥を完了したトイレ容器を股間から離脱して、移動自在のユニット台車に装着保管可能なごとく形成された自力真空水洗トイレの分野に属する。


【手続補正３】
【補正対象書類名】明細書
【補正対象項目名】０００３
【補正方法】変更
【補正の内容】
【０００３】
しかしこれらの排泄の処理手段は看護人の助けを必要とし、また原始的で、患者の尊厳や自立心に対して配慮に欠け、また臭気の漏洩により周囲に迷惑を掛ける等の問題点を有していた。またこれらの理由から安静を必要とする患者が無理して便所に行って、治癒を遅らす問題点もあった。既にこれらの状況に対していくつかの提案がなされていて、例えばベッドに穴を空け、洗浄及び乾燥の機能を有する水洗便器を一体に組み込んだ便器付き介護用ベットの提案（特許第２００５８４２号）があるが、大きな設備が必要で、誰もが簡易に使用できるものではなく、寝たまま自力で排泄可能な患者の要求に十分応える処理手段は存在していなかった。


【手続補正４】
【補正対象書類名】明細書
【補正対象項目名】０００４
【補正方法】変更
【補正の内容】
【０００４】
【発明が解決しようとする課題】
寝床についてはいるが、自分の意思と力で排泄可能な患者を対象とし、従来の処理手段の患者の尊厳や自立心に対する配慮に欠けた性能を補完し、コンパクトで、自力で簡易に使用でき、器官と容器の洗浄、乾燥により清潔で、臭くなく、環境に快適であり、安全で、保守が容易で、再使用が可能であるなど、患者が快適に使用できる性能を有する処理手段の提供が本発明の解決課題となる。


【手続補正５】
【補正対象書類名】明細書
【補正対象項目名】０００５
【補正方法】変更
【補正の内容】
【０００５】
【課題を解決するための手段】
上記課題の解決手段として、本発明は下記の各種機能を発揮するユニットを組合せて構成した、自力真空水洗トイレを提供しようとするものである。
（１）トイレ容器としては、使用者に通常の器官の洗浄、乾燥という水洗便器の機能を提供するだけでなく、排泄物の吸引回収、器官と併せて容器の洗浄、乾燥の可能な機能を加えた快適な使用環境に適した機能を提供する。
（２）排泄物の回収ユニットに圧縮空気を利用したインジェクション方式を採用して、トイレ容器から排泄物を真空吸引により回収する。
（３）排泄物の回収ユニットに着脱可能な回収ボトルと満杯センサを用いる。
（４）器官洗浄ユニットとして、使用者に快適な温水洗浄と泡洗浄を用いる。
（５）器官乾燥ユニットとして、温風による乾燥機能を備え、洗浄された器官と容器を乾燥させる。
（６）寝たままの使用者に本発明トイレの各種機能を使い易くするため、リモコンスイッチにより遠隔操作可能にする。


【手続補正６】
【補正対象書類名】明細書
【補正対象項目名】００１３
【補正方法】変更
【補正の内容】
【００１３】
本発明のユニット台車３は図６に示すごとく、キャスタ８１、取っ手８３を備えて、床面上に移動自在に設置されている。またその下部収納庫７２には、前記トイレ容器２から排泄物を吸引回収して回収ボトル８（図１０）に搬送保管するための圧縮空気を利用したインジェクション方式の吸引回収ユニット７と前記容器２に温水と泡洗浄液を送給して器官と併せて容器を洗浄するための器官洗浄ユニット１７と器官泡洗浄ユニット１８と、前記受け容器２の洗浄終了後に温風を供給して器官と容器を乾燥するための器官乾燥ユニット１９とが集積されている。また前記各ユニットとトイレ容器２との間は、台車３の上部穴７３から引き出された可撓性の多重管１５に内包された各専用配管を介して接続されている。また収納庫７２には、高圧空気ボンベ１１（又はコンプレッサでもよい）から供給される圧縮空気を利用した集中配管制御装置６０（図１０）が設置され、制御装置１２から発信される制御信号により前記各ユニットは駆動され、多重管１５に内包された各専用配管を介してトイレ容器２の各作用を操作するごとくなっている。


【手続補正７】
【補正対象書類名】明細書
【補正対象項目名】００１５
【補正方法】変更
【補正の内容】
【００１５】
図１のトイレ容器２の斜視図には、容器２の器底部６５が図示されていて、前記多重管１５に内包された各ユニット（７、１７、１８、１９）の専用配管（２１、２４、２７、２８）とそれぞれ接続される排出用連通穴６９、温水及び泡洗浄の送水用連通穴７４並びに送風用連通穴８６が開口されれているが、本発明はその位置及び形状を限定するものではなく、例えば送水穴７４及び送風穴８６をフロントガード部６４にスリット穴で開口してもよい。またトイレ容器２内には図示されていないが、洗浄終了確認用の臭気センサ３２と乾燥終了確認用の湿度センサ３３が内設されている。


【手続補正８】
【補正対象書類名】明細書
【補正対象項目名】００１６
【補正方法】変更
【補正の内容】
【００１６】
図１０は高圧空気ボンベ１１（コンプレッサでもよい）が供給する圧縮空気を利用した集中配管制御装置６０の構成を示す管路説明図である。本装置６０は制御装置１２から発信される制御信号により駆動され、前記各ユニット（７、１７、１８、１９）の機能を生成して、各専用配管（２１、２４、２７、２８）を介してトイレ容器２の各作用を操作する。図中、高圧空気ボンベ１１から減圧された圧縮空気は元管２０（分配管５８）を介して各ユニットの専用配管に配分され、各ユニットの機能が付加されて、多重管１５に内包される乾燥用温風管２１、真空吸引回収用高圧空気管２２、身体確保ユニット４用及びトイレ容器装着解除機構７１用低圧空気管２３、洗浄用温水管２７、泡洗浄液管２８の各専用配管に送給され利用される。図１０において、５２は一次減圧弁，５０は一次開閉弁，４３は水道源、４４は電源、４５は温水と温風を製造するための電熱装置、５１は二次開閉弁、５３は二次減圧弁、５４は高圧ボンベ１１用の残圧センサ、４８は温度センサ、４９は風量センサ、９２は台車３に着脱自在に設置された回収ボトル８の着脱部である。


【手続補正９】
【補正対象書類名】明細書
【補正対象項目名】００１７
【補正方法】変更
【補正の内容】
【００１７】
図１１は本装置１の動作制御系の要部の実施形態例を示すブロック図である。本装置は使用者が寝床についたままリモコンスイッチ１４により遠隔操作可能なことを特徴とする。本装置を操作制御する制御装置１２は、入力部、出力部、記憶部及び演算処理部からなり、赤外線スイッチ構造のリモコンスイッチ１４（装置１２への入力信号源は図８に詳示する）によるスタンバイ３４、予洗３５、泡洗浄吸引３６、温洗浄吸引３７、乾燥３８、停止４０、終了３９の操作釦信号と残圧センサ５４、排泄物満杯センサ５５、臭気センサ３２、温度センサ３３のセンサ群からの検知信号の入力を受けて、スタンバイ３４、脱臭ユニット作動３０、予洗３５、泡洗浄３６、温水洗浄３７、排泄物吸引７、温風乾燥１９、停止４０、終了３９の駆動回路群に出力信号を発信し、リモコンスイッチ１４の洗浄ＯＫ４１及び乾燥ＯＫ４２の表示ランプに点灯信号を逆発信する。また予洗３５の作動時間はタイマー設定４７による。なお５６がリモコンスイッチ１４の発光部、５７が受光部である。なお本制御系の要部は上記の実施形態に限定されるものではなく、本発明の要旨を逸脱しない範囲において種々の変更が含まれるものである。
【手続補正１０】
【補正対象書類名】明細書
【補正対象項目名】００１８
【補正方法】変更
【補正の内容】
【００１８】
図８は本制御系の要部（図１１）に使用されるリモコンスイッチ１４の説明図で、本スイッチに設置されているスタンバイ３４、予洗３５、泡洗浄吸引３６、温洗浄吸引３７、乾燥３８、停止４０、終了３９の各操作釦と洗浄ＯＫ４１、乾燥ＯＫ４２の各表示ランプがブロック図で並示されている。（電源釦の図示は省略）
【手続補正１１】
【補正対象書類名】明細書
【補正対象項目名】００２１
【補正方法】変更
【補正の内容】
【００２１】
本発明は使用者が寝たまま自力で、先ず、本装置のトイレ容器２を股間Ｃに装着可能であり、次に使用時は、リモコンスィッチ１４によりユニット台車３に集積された吸引回収７、洗浄１７、１８及び乾燥１９の各ユニットを制御して、容器２内の排泄物の吸引回収から器官と容器２内の洗浄、乾燥まで順次に遠隔操作可能であり、次に使用後は、洗浄及び乾燥を完了したトイレ容器２を股間Ｃから離脱して、ユニット台車３に装着保管可能であることを特徴としているが、本発明は以上説明した実施の形態に限定されるものではなく、本発明の目的を達成し、かつ効果を発揮する範囲内においては種々の変更が可能であることは勿論である。以下に、使用者が寝たまま本装置１を使用して排泄する場合の、使い方の手順について説明する。


【手続補正１２】
【補正対象書類名】明細書
【補正対象項目名】００２３
【補正方法】変更
【補正の内容】
【００２３】
（２）トイレ容器２を装着して排泄準備を完了した使用者は、リモコンスィッチ１４を使って、以下の手順で、排泄物の吸引回収から器官と容器内の洗浄及び乾燥まで遠隔操作する。
（３）トイレ容器装着時に、装着を容易にするためスタンバイ釦３４を押して腰部Ｂを浮揚させるが、スタンバイ釦を押すと、エアリフト構造の身体確保ユニット４へ低圧空気管２３から低圧の圧縮空気が供給され、浮揚する。またスタンバイ釦３４により脱臭ユニットも作動する。また終了釦３９を押すまで身体確保ユニットは作動し、使用者の腰部Ｂを浮揚させて、排泄動作に好適な姿勢を保持する。
（４）そこで予洗釦３５を押す。器官洗浄ユニット１７から温水がトイレ容器２内に供給され、汚れ防止のための濡れ度が高められ，排泄環境が整えられる。なお予洗の作動時間はタイマ４７により設定される。


【手続補正１３】
【補正対象書類名】明細書
【補正対象項目名】００２４
【補正方法】変更
【補正の内容】
【００２４】
（５）使用者は排泄を開始すると共に，泡洗浄・吸引釦３６と温水洗浄・吸引釦３７を押す。吸引回収ユニット７，器官温水洗浄ユニット１７と器官泡洗浄ユニット１８が一斉に作動を開始し、容器２内に温水と泡洗浄液を給送し、器官と併せて容器の洗浄が開始されると共に、圧縮空気ボンベ１１（又はコンプレッサ）より元管２０を介して減圧された高圧の圧縮空気が多重管１５に内包された高圧空気管２２を通って、回収ユニット７の排泄物搬送管２４の管接続部６７に内設されたインジェクション用圧縮空気吹出し装置１６（図４）に送給され、管２４内に逆噴射されて、その真空吸引効果により、トイレ容器２内の排泄物、洗浄液及び臭気の吸引回収を開始して、回収ボトル８へ搬送する。
（６）使用者の排泄中、継続的に洗浄，回収が実施されると共に、臭気の漏洩も防止される。
（７）容器２から排泄物が回収されると、洗浄の完了を容器２に内設の臭気センサ３２が確認し、リモコンスイッチ１４の表示部４１に洗浄ＯＫを表示する。


【手続補正１４】
【補正対象書類名】明細書
【補正対象項目名】００２５
【補正方法】変更
【補正の内容】
【００２５】
（８）そこで乾燥釦３８を押す。回収ユニット７、器官洗浄ユニット１７及び１８の作動が停止し、器官乾燥ユニット１９が作動を開始する。
（９）容器２内には温風管２１を通って温風が供給され、器官と容器内を乾燥する。容器２内の湿度センサ３３が乾燥を確認すると，リモコンスイッチ１４の表示部４２に乾燥ＯＫを表示する。


【手続補正１５】
【補正対象書類名】明細書
【補正対象項目名】００２９
【補正方法】変更
【補正の内容】
【００２９】
【発明の効果】
本発明は以上のごとく構成されているので、以下の種々の効果を奏することができる。
（１）常に自力で排泄できるので自己の尊厳性を守れる。
（２）使用者は寝たままにも拘わらず、トイレ容器の着脱、保管から排泄物の回収、器官と容器内の洗浄、乾燥までの排泄処理を自力で可能で、看護人には満杯が検知された排泄物の回収ボトル８の廃棄処理、残圧が僅かになった高圧空気ボンベの交換、電源の接続、温水、温風の適温設定、適度の風量設定の操作を依頼するだけでよいから、使用者（患者）の主体性が維持できる。
（３）本発明の自力真空水洗トイレは、身体確保ユニットによるトイレ容器の装着支援と好適な排泄姿勢の保持、圧縮空気を利用した二重管構造のインジェクション方式排泄物吸引回収ユニット、上下二部体を開閉して挟み付けるトイレ容器の装着機構、温水及び泡洗浄、温風乾燥の各ユニットによる器官とトイレ容器の清潔性の維持、リモコンスイッチによる簡易な遠隔操作、等の斬新で優れた機能を有するので、寝たままの患者に対して従来の健康人の水洗トイレと同等、又はそれ以上の快適な利用環境を提供できる。


【手続補正１６】
【補正対象書類名】明細書
【補正対象項目名】図８
【補正方法】変更
【補正の内容】
【図８】  本装置に使用されるリモコンスィッチの説明図。


【手続補正１７】
【補正対象書類名】図面
【補正対象項目名】図１０
【補正方法】変更
【補正の内容】
【図１０】
2002320650.tif 000001
【手続補正１８】
【補正対象書類名】図面
【補正対象項目名】図１１
【補正方法】変更
【補正の内容】
【図１１】
2002320650.tif 000002